(57)【要約】【課題】製造が簡単でしかも開封も簡単な包装体を提供する。【解決手段】開口を有する可撓性のある収納部と、前記開口を覆うように該収納部に固着される蓋部とを備えた包装体であって、前記蓋部は、厚み方向に貫通したスリットが設けられたリジットフィルムと、前記スリットを覆うカバーフィルムとを有し、前記蓋部の両端を圧して該蓋部をＶ字状に折り曲げたとき、前記スリットによって形成されるリジットフィルムの破断部が、前記カバーフィルムを突き破るように構成されていることを特徴とする包装体。【選択図】　　　　　図１
2004042917.tif 000002
【特許請求の範囲】
【請求項１】
開口を有する可撓性のある収納部と、前記開口を覆うように該収納部に固着される蓋部とを備えた包装体であって、
前記蓋部は、厚み方向に貫通したスリットが設けられたリジットフィルムと、前記スリットを覆うカバーフィルムとを有し、
前記蓋部の両端を圧して該蓋部をＶ字状に折り曲げたとき、前記スリットによって形成されるリジットフィルムの破断部が、前記カバーフィルムを突き破るように構成されていることを特徴とする包装体。
【請求項２】
前記蓋部が前記収納部の周縁部に固着された請求項１記載の包装体。
【請求項３】
前記蓋部が平らである請求項１または２記載の包装体。
【発明の詳細な説明】
【０００１】
【発明の属する技術分野】
本発明は包装体に関し、更に詳しくは、簡単に開封することができる包装体に関する。
【０００２】
【従来の技術】
従来より、液体、ペースト、粉末、顆粒などが充填され、簡単に開封できる包装体として、開口を有する可撓性のある収納部と、前記開口を覆うように該収納部に固着される蓋部とを備えた包装体であって、前記蓋部に、その厚み方向に未貫通の切れ目（ハーフスリット）が設けられた包装体がある（特開２００１−３３５０７１、実公平６−４１５４４号公報など）。該包装体から内容物を取り出す際は、蓋部をＶ字状に折り曲げることによってハーフスリットを破断させる。そうすると、破断した箇所が開口部となり、該開口部から収納部に充填されていた内容物を取り出すことができる。このように、この包装体は簡単に開封することができる。
【０００３】
【発明が解決しようとする課題】
ところで、前記包装体を開封するために蓋部に形成されるハーフスリットの深さは、輸送時、保管時はハーフスリットが不用意に破壊されず、開封時は蓋部を指でＶ字状に折り曲げることによってハーフスリットが簡単に破断されるように決められる。したがってハーフスリットは蓋部に決められた深さで正確に形成されることが要求される。しかも蓋部の厚みは通常数百μｍオーダであり、このような厚みの蓋部に対して、ハーフスリットを決められた深さを正確に保って形成することは極めて困難である。
【０００４】
そこで本発明は、従来の問題点に鑑み、製造が簡単でしかも開封も簡単な包装体を提供することを課題とする。
【０００５】
【課題を解決するための手段】
本発明は、上記課題を解決するためになされたものであり、本発明にかかる包装体は、
開口を有する可撓性のある収納部と、前記開口を覆うように該収納部に固着される蓋部とを備えた包装体であって、
前記蓋部は、厚み方向に貫通したスリットが設けられたリジットフィルムと、
前記スリットを覆うカバーフィルムとを有し、
前記蓋部の両端を圧して該蓋部をＶ字状に折り曲げたとき、前記スリットによって形成されるリジットフィルムの破断部が、前記カバーフィルムを突き破るように構成されていることを特徴とする。
【０００６】
本発明の包装体は、開口を有する可撓性のある収納部と、前記開口を覆うように該収納部に固着される蓋部とを備えた包装体の蓋部が、厚み方向に貫通したスリットが設けられたリジットフィルムと、前記スリットを覆うカバーフィルムとで構成されているので、ハーフスリットを蓋部に形成するという困難な加工工程の代わりに、リジットフィルムに貫通したスリットを設け、該スリットをカバーフィルムで覆うという簡単な加工工程で包装体を製造できる。しかも本発明の包装体は、前記蓋部の両端を圧して該蓋部をＶ字状に折り曲げたとき、前記スリットによって形成されるリジットフィルムの破断部が、前記カバーフィルムを突き破るように構成されているので、破断部によって突き破られた箇所が蓋部の開口部となり、従来と同じように、簡単に開封することができる。
【０００７】
本発明においては、蓋部が収納部の周縁部に固着されているのが好ましい。
蓋部が収納部の周縁部に固着されているので、収納部に充填された内容物が輸送途中等で収納部からこぼれ出すおそれが全くない。
【０００８】
本発明においては、蓋部が平らであることが好ましい。
蓋部が平らであるため、多数の包装体を積み重ねて保管、輸送することができる。
【０００９】
【発明の実施の形態】
以下、本発明の実施の形態について図面を参酌しつつ説明する。
図１は本発明の包装体の一実施の形態を示す側面断面図、図２はその平面図であって、開口を有する可撓性のある収納部６と、前記開口を覆うように収納部６に固着された長方形の平らな蓋部２とを備えた包装体１を示す。液体、ペースト、粉末、顆粒などの内容物が充填された収納部６は、蓋部２の裏面に固着されることによって密封される。
【００１０】
蓋部２は、その周縁部が収納部６の周縁部に固着され、かつ厚み方向に貫通したＵ字状のスリット５が設けられたリジットフィルム３と、前記スリット５を覆うようにリジットフィルム３の上面全体に積層されたカバーフィルム４とからなる。
【００１１】
リジットフィルム３は、蓋部２をＶ字状に折り曲げた時、スリット５によって形成される破断部７が、カバーフィルム４を突き破ることができる程度の硬さをもつ材料で製造される。このような材料として、たとえば、ＰＶＣ（ポリ塩化ビニル）、ＰＰ（ポリプロピレン）、ＥＶＯＨ（エチレン−ビニルアルコール共重合体）、ＰＥＴ（ポリエチレンテレフタレート）などのポリエステル樹脂、ＰＥ（ポリエチレン）、ＰＳ（ポリスチレン）などが挙げられる。
【００１２】
リジットフィルム３の厚みは、蓋部２をＶ字状に折り曲げた時、スリット５によって形成される破断部７がカバーフィルム４を突き破るように、使用するリジットフィルム３やカバーフィルム４の種類などに応じて適宜決められるが、通常、０．２〜０．６ｍｍ程度である。
リジットフィルムは、ＰＰフィルムのような単層のフィルム、ＰＰ／ＥＶＯＨ／ＰＰフィルム（ＰＢＰフィルム）、ＰＥＴ／ＰＥフィルム、ＰＰ／ＰＥフィルムのようなラミネートフィルムの何れのフィルムも使用することができる。
【００１３】
リジットフィルム３に設けられるスリット５は、蓋部２をＶ字状に折り曲げたとき、該スリット５によって形成されるリジットフィルム３の破断部７が、カバーフィルム４を突き破って突出するように構成されている。このようなスリット５の形として、Ｕ字状の他、たとえば、Ｖ字状、半円状、馬蹄形状、コの字状、折れ線状、波線状などが挙げられる。
なお本発明において、スリットの大きさおよびリジットフィルム上の位置は、該スリットによって形成される破断部がカバーフィルムを突き破ることができる限り特に限定されず、あらゆる位置に如何なる大きさで設けてよい。
【００１４】
カバーフィルム４は、収納部６内の密封性を保つために、リジットフィルム３の上面全面に積層されている。
なお本発明において、カバーフィルムは、少なくともリジットフィルムのスリットを覆うようにリジットフィルムに積層されていればよく、必ずしもリジットフィルム全面を覆う必要はない。
【００１５】
カバーフィルム４は、蓋部２をＶ字状に折り曲げたとき、スリット５によって形成されるリジットフィルム３の破断部７によって突き破られる程度の硬さをもつ材料によって製造される。カバーフィルム４としては、たとえば、アルミ箔、アルミ箔とプロピレンフィルムとのラミネートフィルム、アルミ箔にＶＣコート（ヒートシール性のあるコート剤をコート）したもの、アルミ箔／ＡＤＭ（ＰＰ系脆化フィルム）のラミネートフィルムのアルミ箔上に印刷を施したもの、などが挙げられる。特にアルミ箔を使用するとバリアー性が向上する。
【００１６】
カバーフィルム４の厚みは、蓋部２をＶ字状に折り曲げた時、スリット５によって形成される破断部７によって突き破られるように、使用するリジットフィルム３やカバーフィルム４の種類などに応じて適宜決められるが、通常、１５〜３０μｍ程度である。
カバーフィルムについても、単層フィルム、ラミネートフィルムの何れのフィルムも使用することができる。
【００１７】
好ましい蓋部２としては、例えば、リジットフィルム３としてＰＰフィルムとカバーフィルム４としてアルミ箔にＶＣ（ヒートシール）コートしたものとの組み合わせ、リジットフィルム３としてＰＰフィルムとカバーフィルム４としてアルミ箔／脆化フィルムとの組み合わせなどが挙げられる。
【００１８】
収納部６は、リジットフィルム３に固着することができ、蓋部２の折り曲げを妨げない程度の可撓性をもつ材料によって製造される。このような材料として、たとえば、軟質合成樹脂、具体的には、ポリ塩化ビニル、ポリプロピレン、ポリエチレンテレフタレート、ナイロン、これらの積層フィルムなどが挙げられる。
【００１９】
次に、内容物が充填された包装体１の製造方法について説明する。
まず、軟質合成樹脂からインジェクション成形法などの従来の成形方法によって収納部６を形成する。次に形成された収納部６に内容物を充填する。これとは別に、厚み方向に貫通したスリット５が設けられたリジットフィルム３に、ヒートシールや高周波シールなどによって、カバーフィルム４を積層して蓋部２を得る。リジットフィルム３にスリット５を形成する方法は、特に限定されないが、切断刃を用いる方法、レーザー加工法等が挙げられる。
内容物が充填された収納部６の周縁部と蓋部２の周縁部とを熱融着して固着し、内容物が充填された包装体１を得る。なお、蓋部２と収納部６とは、接着剤を使用して固着してもよいし、超音波あるいは高周波を使用して固着してもよい。なお、内容物が充填された収納部６の周縁部とリジットフィルム３とを固着した後、リジットフィルム３とカバーフィルム４を固着してもよい。
【００２０】
このように製造された包装体１から内容物を取り出すには、図３（ａ）に示すように、蓋部２を下側に向け、蓋部２の両端、すなわち、スリット５によって形成されるリジットフィルム３の破断部７の突出する先端部８に対向する蓋部２の端縁部ａと、該端縁部ａに対向する蓋部２の端縁部ａ’とを指で圧して、図３（ｂ）に示すように、蓋部２がＶ字状になるように折り曲げる。蓋部２をこのように折り曲げると、スリット５によって形成されたリジットフィルム３の破断部７が下方に突出して、リジットフィルム３上に積層されているカバーフィルム４を突き破って開口が形成され、形成された開口から収納部６内に充填された内容物が取り出される。
【００２１】
本発明の包装体において、蓋部の形状は特に限定されず、三角形、正方形、円形、楕円形など如何なる形にもすることができる。また、収納部の数、形も特に限定はない。
【００２２】
【発明の効果】
本発明の包装体は、製造が簡単でしかも開封も簡単である。
【図面の簡単な説明】
【図１】本発明の包装体の一実施の形態の側面断面図。
【図２】図１の包装体の平面図。
【図３】本発明の包装体の開封方法を示す説明図。
【符号の説明】
１…包装体、２…蓋部、３…リジットフィルム、４…カバーフィルム、５…スリット、６…収納部、７…破断部
【図１】
2004042917.tif 000003
【図２】
2004042917.tif 000004
【図３】
2004042917.tif 000005